(57)【要約】【課題】屋上を有する建物であっても、建築現場において作業工数を少なくして早期に建物が完成可能であり、低廉化を可能とする屋上用バルコニーユニットの提供。【解決手段】屋上用バルコニーユニット１において、階段用開口部３が形成された床２の周縁部に手摺部材４，５が予め形成されたことを特徴とする。【選択図】  図１
2004308276.tif 000002
【特許請求の範囲】
【請求項１】
階段用開口部が形成された床の周縁部に第１の手摺部材が形成されたことを特徴とする屋上用バルコニーユニット。
【請求項２】
請求項１の屋上用バルコニーユニットにおいて、前記階段用開口部の側縁部に第２の手摺部材が形成されたことを特徴とする屋上用バルコニーユニット。
【請求項３】
請求項１，請求項２の何れかの屋上用バルコニーユニットを用いた建物であって、前記屋上用バルコニーユニットが下層の建物ユニットに支持されており、前記階段用開口部と前記建物ユニットの床面の高さの部位との間に屋外階段が取り付けられていることを特徴とする建物。
【発明の詳細な説明】
【０００１】
【発明の属する技術分野】
本発明は、屋上用バルコニーユニット及びこれを用いた建物に関する。
【０００２】
【従来の技術】
従来、建物ユニットの内部に屋外階段を設け、この建物ユニットの横に設けられたバルコニーから、建物ユニットの屋上に上ることが出来るユニット建物が提案されている（特許文献１参照）。
【０００３】
このユニット建物は三階建てのものであり、最上階の建物ユニットの横にバルコニーが取り付けられると共に、バルコニーユニットが取り付けられる壁面にバルコニーに出入りするための開口部と、バルコニーから屋上に上がるための開口部とが形成され、壁に開けられた屋上出入り用の開口部から屋上の開口部にかけて屋外階段が取り付けられる。従って、最上階の部屋から屋上に上がるにはバルコニー出入り用の開口部からバルコニーに一旦出て、バルコニーから外付け階段を上がって屋上に上がることができるようになっている。
【０００４】
【特許文献１】
特開平１１−１８１８９０号公報（段落００２０ー段落００３０）
【０００５】
【発明が解決しようとする課題】
しかし、このような建物ユニットは、屋上を構成する場合に、住宅の建築現場において、最上階の建物ユニットの上に歩行可能な床を設け、この床に手すりを設けるということが行われており、現場での作業工数がかかるという不利がある。
【０００６】
本発明にかかる屋上用バルコニーユニット及びこれを用いた建物は、このような問題に着目してなされたものであり、このような高価な設備を有する建物であっても、建築現場において作業工数の少なくして早期に建物が完成可能であり、低廉化を可能とすることを目的とする。
【０００７】
【課題を解決するための手段】
上記課題を解決するために、本発明の請求項１の屋上用バルコニーユニットは、階段用開口部が形成された床の周縁部に第１の手摺部材が形成されたことを特徴とする。
【０００８】
ここで、階段用開口部は開口部であっても良いし、矩形に切り欠かれた凹部でも良い。第１の手摺部材は壁、柵、フェンス等が用いられる。
【０００９】
本願の第２の屋上用バルコニーユニットは、第１の屋上用バルコニーユニットにおいて、前記階段用開口部の側縁部に第２の手摺部材が形成されたことを特徴とする。
【００１０】
第２の手摺部材としては壁、柵、フェンス等が用いられる。
【００１１】
本願の建物は、第１，第２の何れかの屋上用バルコニーユニットを用いた建物であって、前記屋上用バルコニーユニットが下層の建物ユニットに支持されており、前記階段用開口部と前記建物ユニットの床面の高さの部位との間に屋外階段が取り付けられていることを特徴とする。
【００１２】
屋外階段は、建物ユニットの側部に取り付けられるバルコニーユニットから出入可能であっても良いし、建物ユニットに形成される出入口から出入可能であっても良い。
【００１３】
【発明の実施の形態】
以下、本発明の実施の形態にかかる屋上用バルコニーユニット及び建物を図面を参照にして説明する。図１は、本発明の実施の形態にかかる屋上用バルコニーユニットの斜視図であり、図２は図１の屋上用バルコニーユニットを搭載する最上階の建物ユニットの斜視図であり、図３は図１の屋上用バルコニーユニットを図２の建物ユニットに搭載して固定した状態の斜視図である。
【００１４】
図１において、符号１は屋上用バルコニーユニット、符号２は防水仕上げがなされた床、３は階段用開口部、４、５は第１の手摺部材としてのバルコニー用手摺、６は階段用手摺である。屋上用バルコニーユニット１は床２とバルコニー用手摺４，５と階段用手摺６とで構成されている。床２の角部には、階段用開口部３が形成されており、バルコニーユニット１の床２が広く使用できる位置に設けられている。この階段用開口部３は、屋上用バルコニーユニット１を搭載する建物ユニット７に形成された屋外階段用開口部８に対応している。屋外階段用開口部８は建物ユニット７の角部に設けられることによって、建物ユニット７の内部においても室内空間を大きくとることが出来るようになっている。
【００１５】
階段用手摺６は階段用開口部３の側縁部であってバルコニー中央側に立てられている。階段用開口部３のバルコニー周縁部にはバルコニー用手摺４に接合される手摺４Ａが立てられるようになっている。
【００１６】
建物ユニット７の天井部９には屋外階段用開口部８が形成され、建物ユニット７の側壁部１０には、図３に示すように、建物ユニット７用のバルコニーユニット１１が固定される。建物ユニット７の側壁部にはバルコニーユニット１１に出入りするための出入り口とサッシ戸１２が設けられる。建物ユニット７の側壁部１０の端部には開口部１３が形成されており、開口部１３と天井部の屋外階段用開口部８との間にバルコニーユニット１１から屋上に上がるための屋外階段１４が設けられている。屋外階段１４の両側には壁１５，１６が設けられており、建物ユニット７の室外側に屋外階段１４が設けられている。屋外階段１４の下端部の高さは建物ユニット７の床面の高さと等しい部位に取り付けられており、屋外階段１４の上端部は屋外階段用開口部８の出入口に取り付けられている。
【００１７】
バルコニーユニット１１の床部１１Ａ及び両側の手摺部１１Ｂは建物ユニット７の図示しない床部及び壁１５並びに側壁部１０に固定され、手摺部１１Ｃは手摺部１１Ｂに固定されている。建物ユニット７と屋上用のバルコニーユニット１とはボルトナット等により結合される。
【００１８】
建物ユニット７の隣には、内部に居室を有する第２の建物ユニット１７が結合される。第２の建物ユニット１７の屋上部には床１８が防水仕上げされ、床１８に手摺１９が立てられた別のバルコニーユニット２０が載せられる。
【００１９】
図４は図２の建物ユニット７の平面プラン図を示し、図５は図１の屋上用バルコニーの平面プラン図を示す。図２の建物ユニット７は２階建ての住宅の２階部分であり、キッチン２０にドア２０Ａが設けられ、ダイニングルーム２１にサッシ戸１２が設けられている。ダイニングルーム２１からはサッシ戸１２を開けてバルコニーユニット１１に出入り可能とされており、バルコニーユニット１１を通って屋外階段１４に上ることが出来るようになっている。屋上用バルコニーユニット１は屋外階段用開口部８から屋外階段１４を経て床２の上に上がることが出来るようになっている。屋上用バルコニーユニット１は、建物ユニット１７の上に延びており、建物ユニット１７の上に和室２２が設けられている。和室２２には屋内階段２３を経て階下の室内２４に出入り可能とされている。又、和室２２はサッシ戸２５を開けて屋上用バルコニーユニット１の上に出入り可能とされている。
【００２０】
図６は第２の実施の形態にかかる屋上用バルコニーユニットの斜視図であり、図７は、図６の屋上用バルコニーユニットを搭載する最上階の建物ユニットの斜視図を示す。図８は図６の屋上用バルコニーユニットを図５の建物ユニットに搭載して固定した状態の斜視図である。
【００２１】
図６において、符号３０は屋上用バルコニーユニット、符号３１は防水仕上げがなされた床、３２は階段用開口部、３３，３４は第１の手摺部材としてのバルコニー用手摺、３５は階段開口部手摺である。屋上用バルコニーユニット３０は床３１とバルコニー用手摺３３，３４と階段用手摺３５とを備えている。床３１の角部には、階段用開口部３２が形成されており、バルコニーユニット３０の床３１が広く使用できる位置に設けられている。
【００２２】
階段用開口部３２は、図７に示す建物ユニット３６に形成された屋外階段用開口部３７に対応している。屋外階段用開口部３７は建物ユニット３６の角部に設けられることによって、建物ユニット３６の内部においても室内空間を大きくとることが出来るようになっている。
【００２３】
階段用手摺３５は階段用開口部３２の階段出入口脇の側縁部であってバルコニー中央側に立てられている。階段用開口部３２のバルコニー周縁部の手摺３４の端部はバルコニー用手摺３３に接合されている。
【００２４】
建物ユニット３６の天井部３８には屋外階段用開口部３７が形成され、建物ユニット３６の側壁部３９には、図７に示すように、建物ユニット３６用のバルコニーユニット４０が固定される。建物ユニット３６の側壁部にはバルコニーユニット４０に出入りするための図示しない出入り口とサッシ戸が設けられる。建物ユニット３６の側壁部３９の端部には開口部４１が形成されており、開口部４１と天井部３８の屋外階段用開口部３２との間にバルコニーユニット４０から屋上に上がるための屋外階段４２が設けられている。屋外階段４２の両側には壁４３，４４が設けられており、建物ユニット３６の室外側に屋外階段４２が設けられている。屋外階段４２の下端部の高さは建物ユニット３６の床面の高さと等しい部位に取り付けられており、屋外階段４２の上端部は屋外階段用開口部３２の出入口に取り付けられている。
【００２５】
バルコニーユニット４０の床部４０Ａ及び手摺部４０Ｂは建物ユニット３６の図示しない床部及び壁４４並びに側壁部３９に固定され、手摺部４０Ｃは床部４０Ａ及び手摺部４０Ｂに固定されている。図８に示すように、建物ユニット３６と屋上用のバルコニーユニット３０とはボルトナット等により結合される。
【００２６】
図９は図７の建物ユニットの平面プラン図であり、図１０は図６の屋上用バルコニーの平面プラン図である。
【００２７】
図７及び図９に示す建物ユニット７は２階建ての住宅の２階部分であり、リビングルーム４５にドア４５Ａが設けられている。リビングルーム４５からはドア４５Ａを開けてバルコニーユニット４０に出入り可能とされており、バルコニーユニット４０を通って屋外階段４２に上ることが出来るようになっている。屋上用バルコニーユニット３０は屋外階段用開口部４１から屋外階段４２を経て床３１の上に上がることが出来るようになっている。屋上用バルコニーユニット３０は、隣の建物ユニット４６の上に延びており、建物ユニット４６の上に和室４７が設けられている。和室４７には屋内階段４８を経て階下の室内４９に出入り可能とされている。和室４７はサッシ戸５０を開けて屋上用バルコニーユニット２０の上に出入り可能とされている。
【００２８】
上述した実施の形態にかかる屋上用バルコニーユニット１、３０は、階段用開口部３、３２を備えた床部２，３２の周縁部に手摺部材４，５、３３，３４が予め形成されているので、施工現場作業が短縮化並びに簡易化される。そして、上述の実施の形態では、階段用開口部３，３２は床部２，３１の角部に形成された開口部とされているが、床部２，３１の角部や周縁部に矩形その他の形状に切り欠かれた凹部であっても良い。手摺部材４，５，３３，３４は壁とされているが、柵、フェンス等が用いられていても良い。
【００２９】
また、階段用開口部３，３２の階段出入口脇の側縁部に手摺部材６，３５が形成されていると、現場における手摺部材６，３５の取付作業も不要となり、更に、工期の短縮化やコスト低廉化が促進される。上記第２の手摺部材６，３５としては壁の他にも柵、フェンス等が用いられても良い。
【００３０】
更に、屋上用バルコニーユニット１，３０が下層の建物ユニット７，３６に支持されており、階段用開口部３の階段出入口と前記建物ユニットの床面の高さの部位との間に屋外階段１４、４２が取り付けられている場合には、バルコニー等を用いて室外から屋上に上がることができる。
【００３１】
そして、屋外階段１４，４２は、建物ユニット７，３６の側部に取り付けられるバルコニーユニットから出入可能であっても良いし、建物ユニット７，３６に形成される出入口から出入可能であっても良い。
【００３２】
【発明の効果】
本願の第１の屋上用バルコニーユニットによれば、屋上用バルコニーユニットの床に階段用開口部が予め形成されており、屋上の床の周囲に予め第１の手摺部材が組み付けられているので、施工現場での階段用開口部の形成作業や壁の取り付け作業が不要となる。このため、作業工数が少なくなり、施工日数が少なくなるほか、低廉化が可能となる。
【００３３】
本願の第２の屋上用バルコニーユニットによれば、屋上用バルコニーユニットの床の階段用開口部の周縁部に第２の手摺部材が形成されているので、建築現場では、最上階の建物ユニットの上に搭載して固定することにより、最上階部の屋外階段が屋上に通じることとなり、施工現場での階段用開口部の形成作業や手摺部材の取り付け作業が不要となる。このため、更に、作業工数が少なくなり、施工日数が少なくなるほか、低廉化が可能となる。
【００３４】
本願の建物によれば、施工現場において屋上用バルコニーユニットを最上階層の建物ユニットに搭載して固定するので、施工作業が減少し、施工時間が短縮化できる。これにより、低廉でありながら、高価な設備を有する建物を提供できる。
【図面の簡単な説明】
【図１】本発明の実施の形態にかかる屋上用バルコニーユニットの斜視図。
【図２】図１の屋上用バルコニーユニットを搭載する最上階の建物ユニットの斜視図。
【図３】図１の屋上用バルコニーユニットを図２の建物ユニットに搭載して固定した状態の斜視図。
【図４】図２の建物ユニットの平面プラン図。
【図５】図１の屋上用バルコニーの平面プラン図。
【図６】第２の実施の形態にかかる屋上用バルコニーユニットの斜視図。
【図７】図６の屋上用バルコニーユニットを搭載する最上階の建物ユニットの斜視図。
【図８】図６の屋上用バルコニーユニットを図５の建物ユニットに搭載して固定した状態の斜視図。
【図９】図７の建物ユニットの平面プラン図。
【図１０】図６の屋上用バルコニーの平面プラン図。
【符号の説明】
１  屋上用バルコニーユニット
２  床
３  階段用開口部
４，５  第１の手摺部材
６  第２の手摺部材
１１  バルコニーユニット
１４  屋外階段
【図１】
2004308276.tif 000003
【図２】
2004308276.tif 000004
【図３】
2004308276.tif 000005
【図４】
2004308276.tif 000006
【図５】
2004308276.tif 000007
【図６】
2004308276.tif 000008
【図７】
2004308276.tif 000009
【図８】
2004308276.tif 000010
【図９】
2004308276.tif 000011
【図１０】
2004308276.tif 000012